(57)【特許請求の範囲】
【請求項１】
被写体にＸ線を照射するＸ線管と、
前記被写体を透過したＸ線のＸ線量に応じたＸ線画像を生成する画像記録材又は画像検出器と、
を有し、
前記Ｘ線管の焦点径をＤ（μｍ）、
前記Ｘ線管の焦点から前記被写体までの距離をＲ１（ｍ）、
前記Ｘ線管の焦点から前記画像記録材又は前記画像検出器までの距離をＲ３（ｍ）、
とするとき、
１≦Ｄ≦３０、
３≦Ｒ３≦５、
１５≦Ｒ３／Ｒ１≦４０、
を満たすことを特徴とするアスベスト用位相コントラストＸ線撮影システム。
【請求項２】
Ｘ線管から被写体にＸ線を照射する工程と、
画像記録材又は画像検出器により前記被写体を透過したＸ線のＸ線量に応じたＸ線画像を生成する工程と、
を含み、
前記Ｘ線管の焦点径をＤ（μｍ）、
前記Ｘ線管の焦点から前記被写体までの距離をＲ１（ｍ）、
前記Ｘ線管の焦点から前記画像記録材又は前記画像検出器までの距離をＲ３（ｍ）、
とするとき、
１≦Ｄ≦３０、
３≦Ｒ３≦５、
１５≦Ｒ３／Ｒ１≦４０、
を満たすことを特徴とするアスベスト用位相コントラストＸ線撮影方法。
【発明の詳細な説明】
【技術分野】
【０００１】
本発明は、被写体にＸ線を照射し、そのＸ線画像を撮影するアスベスト用位相コントラストＸ線撮影システム及びアスベスト用位相コントラストＸ線撮影方法に関する。
【背景技術】
【０００２】
従来から、撮影画像の視認性を向上させるため、位相コントラスト法による撮影が行われている（例えば、特許文献１参照）。位相コントラスト撮影は、Ｘ線管の焦点径、Ｘ線管から被写体までの距離、被写体から画像検出器までの距離を所定の関係とする拡大撮影である。この位相コントラスト撮影では、Ｘ線屈折の現象から被写体のエッジ部分が強調された画像を得ることができるため、精査を要する読影に最適な画像を医師に提供することが可能となる。このエッジ強調はエッジ効果と呼ばれている。
【０００３】
また、近年の医療システムのデジタル化に伴い、前記位相コントラスト撮影をデジタル検出器を用いて実施するシステムが開発されている（特許文献２参照）。
【０００４】
位相コントラスト撮影は、乳房を被写体とする乳房撮影システムにおいて、東芝社製乳房撮影装置「ＭＧＵ−１００Ｂ」（Ｘ線管の焦点径１００μｍ）で撮影し、コニカミノルタ社製レジウスシステム（model190）でデータ処理を行い、同社製イメージャ（ドライプロmodel793）でフィルム出力を行うシステムが実用化されている。乳房撮影は主に乳癌の所見となる腫瘤、微小石灰化クラスタといった病変部の陰影（以下、異常陰影という）を検出するために行われるものである。これらの検出は精査を要するため、位相コントラスト撮影によるエッジ効果は読影に際して非常に有用なものとなる。
【０００５】
エッジ効果は、Ｘ線管の焦点径との関係に大きく左右されることが分かっている（例えば、特許文献３参照）。被写体の細部まで精細に観察可能な撮影画像を得るためには、位相コントラスト撮影時の拡大率を上げる、或いはＸ線管の焦点径を大きくし照射するＸ線量を増加させることが考えられるが、拡大率及び／又は焦点径の増大とともにエッジ強調の度合いが低下するボケと呼ばれる現象が生じる。ボケが生じるとエッジ効果が失われ、位相コントラスト撮影の意義が薄れてしまう。
【０００６】
また、デジタル検出器の制御単位（画素サイズ）と前記ボケとの関係を所定の関係とすることで、エッジ強調部分のデジタル検出結果を良好とする方法が開示されている（例えば、特許文献４参照）。
【特許文献１】特開２００１−９１４７９号公報
【特許文献２】特開２００１−２９９７３３号公報
【特許文献３】特開２００１−３１１７０１号公報
【特許文献４】特開２００３−１８０６７０号公報
【発明の開示】
【発明が解決しようとする課題】
【０００７】
上記乳房撮影では、腫瘤は約３〜１５（ｍｍ）、微小石灰化クラスタは数百（μｍ）と、検出対象は有る程度の大きさを有している。これらよりもさらに小さい５０μｍ以下の対象物、例えばアスベスト等についても位相コントラスト撮影により視認性の高い撮影画像を得るためには、拡大率を上げる必要がある。
【０００８】
しかしながら、上述したように単純な拡大率の増加はボケを生じさせ、エッジ効果の低下を招くこととなる。このため、乳房撮影と同じ条件で撮影を行っても微小な対象物を視認できる画質を得ることはできない。
【０００９】
本発明の課題は、微小な対象物であっても視認性の高い撮影画像を得ることができるアスベスト用位相コントラストＸ線撮影システム及びアスベスト用位相コントラストＸ線撮影方法を提供することである。
【課題を解決するための手段】
【００１０】
請求項１に記載の発明は、
被写体にＸ線を照射するＸ線管と、
前記被写体を透過したＸ線のＸ線量に応じたＸ線画像を生成する画像記録材又は画像検出器と、
を有し、
前記Ｘ線管の焦点径をＤ（μｍ）、
前記Ｘ線管の焦点から前記被写体までの距離をＲ１（ｍ）、
前記Ｘ線管の焦点から前記画像記録材又は前記画像検出器までの距離をＲ３（ｍ）、
とするとき、
１≦Ｄ≦３０、
３≦Ｒ３≦５、
１５≦Ｒ３／Ｒ１≦４０、
を満たすことを特徴とするアスベスト用位相コントラストＸ線撮影システムである。
【００１１】
請求項２に記載の発明は、
Ｘ線管から被写体にＸ線を照射する工程と、
画像記録材又は画像検出器により前記被写体を透過したＸ線のＸ線量に応じたＸ線画像を生成する工程と、
を含み、
前記Ｘ線管の焦点径をＤ（μｍ）、
前記Ｘ線管の焦点から前記被写体までの距離をＲ１（ｍ）、
前記Ｘ線管の焦点から前記画像記録材又は前記画像検出器までの距離をＲ３（ｍ）、
とするとき、
１≦Ｄ≦３０、
３≦Ｒ３≦５、
１５≦Ｒ３／Ｒ１≦４０、
を満たすことを特徴とするアスベスト用位相コントラストＸ線撮影方法である。
【発明の効果】
【００１４】
請求項１、２に記載の発明によれば、非常に微小な対象物であっても、鮮明に視認することができる高画質の拡大画像を医師に提供することができる。また、限られた撮影環境の中であっても、１５〜４０の比較的大きい拡大率に調整することが可能となる。
【発明を実施するための最良の形態】
【００１６】
まず、構成を説明する。
図１に、本実施形態におけるＸ線撮影システム１を示す。
Ｘ線撮影システム１は、図１に示すように、Ｘ線管２、撮影装置３を備えて構成されており、Ｘ線管２から被写体Ｗに向けて照射したＸ線を撮影装置３で受け、そのＸ線量に応じたＸ線画像を撮影装置３内に装着されたフィルム３１に記録するものである。撮影時には、被写体ＷとＸ線管２、被写体Ｗとフィルム３１間の距離Ｒ１、Ｒ２を調整することにより拡大率Ｍの位相コントラスト撮影を行う。
【００１７】
Ｘ線管２は、焦点径Ｄ（μｍ）のＸ線を発生させて被写体Ｗに向けて照射するものである。Ｘ線管２では、この焦点径Ｄが大きくなるほど一定時間内に照射されるＸ線量が大きくなる。
【００１８】
撮影装置３は、スクリーン・フィルム方式の撮影を行うものであり、フィルム３１を含む撮影部３２、撮影制御を行うための本体部３３等を備えて構成されている。
【００１９】
撮影部３２は、フィルム３１を内蔵し、撮影部位に合わせてその高さ位置を調整可能に構成されている。
フィルム３１は支持体上に感光材が塗布された、Ｘ線画像の画像記録材であり、カセッテと呼ばれる筐体に収容された状態で撮影部３２に装着される。カセッテ内にはスクリーンが取り付けられており、フィルム３１はこのスクリーンに当接した状態でカセッテ内に収容される。スクリーンは、Ｘ線の照射量に応じた光量の蛍光を発光する蛍光体が支持体上に塗布されたものである。フィルム３１はこのスクリーンにより発光された蛍光に感光し、これによりＸ線量に応じたＸ線画像の潜像がフィルム３１上に記録されることとなる。
【００２０】
Ｘ線画像の潜像が記録されたフィルム３１は、図示しないフィルム出力システムにおいて現像処理を行うことにより、フィルム３１上のＸ線画像を可視化することができる。
【００２１】
本体部３３はＸ線管２と接続されており、Ｘ線管２及び撮影部３２の撮影動作の制御操作を行うための操作部や、撮影装置３の各部を集中制御する制御部、他の外部装置と通信を行う通信部等を備えている。
【００２２】
本体部３３では、操作部を介してＸ線管２における管電圧、管電流等のＸ線の照射条件や照射タイミング等を指示操作することが可能であり、制御部ではこの指示操作に応じてＸ線管２等の各部の動作を集中制御する。
【００２３】
次に、上記Ｘ線撮影システム１による位相コントラスト撮影について説明する。
図２は、位相コントラスト撮影の概略を説明する図である。
図２に示すように、通常の撮影方法の場合、被写体Ｗとにフィルム３１が接する位置に被写体Ｗが配置されている（図２の密着撮影位置）。この場合、そのフィルム３１に記録されるＸ線画像（潜像）はライフサイズ（被写体Ｗと同一サイズであることをいう）とほぼ等サイズとなる。
【００２４】
これに対し、位相コントラスト撮影は、被写体Ｗとフィルム３１間に距離を設けるものであり、Ｘ線管２からコーンビーム状に照射されたＸ線により、ライフサイズに対して拡大されたＸ線画像（以下、拡大画像という）の潜像がフィルム３１に記録されることとなる。
【００２５】
ここで、拡大画像のライフサイズに対する拡大率Ｍは、Ｘ線管２の焦点ａから被写体Ｗまでの距離をＲ１、被写体Ｗからフィルム３１までの距離をＲ２、Ｘ線管２の焦点ａからフィルム３１までの距離をＲ３（Ｒ３＝Ｒ１＋Ｒ２）とすると、下記式（１）により求めることができる。
Ｍ＝Ｒ３／Ｒ１・・・（１）
【００２６】
位相コントラスト拡大画像では、図３に示すように、被写体Ｗの辺縁を通過することにより屈折したＸ線が被写体Ｗを介さずに通過したＸ線とフィルム３１上で重なり合い、重なった部分のＸ線強度が強くなる。一方で、屈折したＸ線の分だけ、被写体Ｗの辺縁内側の部分においてＸ線強度が弱くなる現象が生じる。そのため、被写体Ｗの辺縁を境にしてＸ線強度差が広がるエッジ強調作用（エッジ効果ともいう）が働き、辺縁部分が鮮鋭に描写された視認性の高いＸ線画像を得ることができる。
【００２７】
Ｘ線源が点線源（つまり、焦点ａが点）であるとみなした場合、辺縁部分におけるＸ線強度は図４の実線で示すようなものとなる。図４に示すＥは、エッジ強調の半値幅を示し、下記式（２）により求めることができる。半値幅Ｅはエッジの山−谷間の距離を示す。
【数１】
0004730054.tif 000002
【００２８】
しかし、医療現場や非破壊検査施設では、クーリッジＸ線管（熱電子Ｘ線管ともいう）が広く使用されており、このクーリッジＸ線管では、図５に示すように焦点径Ｄが有る程度大きくなるため、理想的な点線源とみなすことができない。この場合、図５に示すように、エッジ強調の半値幅Ｅが広がり、かつ強度が低下することとなるため、幾何学的不鋭が生じることとなる。この幾何学的不鋭をボケという。
【００２９】
ボケが生じた場合の辺縁部分におけるＸ線強度は、図４の点線で示すようなものとなる。ボケが生じた際のエッジ強調の半値幅は、幾何学的不鋭のため理想的な点線源を想定した場合のエッジ強調幅Ｅより広がることとなる。このボケが生じた場合のエッジ強調の半値幅をＥＢとすると、ＥＢは下記式（３）から求めることができる。
【数２】
0004730054.tif 000003
式中、δ及びｒの定義は、式２と同じである。
また、ＥＢはボケが無い場合のエッジ強調半値幅Ｅにボケの大きさを示すＢを加え、ＥＢ＝Ｅ＋Ｂで示される。
【００３０】
ここで、アスベスト等のような、径が５０μｍ以下という微小な撮影対象物の視認性を向上させるためには、拡大率Ｍを大きくすることが必要である。拡大率Ｍを大きくするためには、式１より距離Ｒ２を大きくすればよいが、距離Ｒ２の増加はボケの半値幅ＥＢの増大を招くこととなる。ここで、上記撮影対象物の径をｓ（μｍ）とすると、径ｓとは対象物が略球形や略立方体等の異形体ではない場合はその外接円の直径を、糸状の細長いもの等、異形体である場合には異形体の延展方向（細長い方向）と直交方向の断面の直径を意味するものとする。
【００３１】
なお、拡大率Ｍを調整する場合、距離Ｒ１を固定し、距離Ｒ２を増減することにより拡大率Ｍを可変することができるが、距離Ｒ１の設定が余りにも大きいと実際の撮影において不適切な距離設定となる場合がある。例えば拡大率Ｍ＝２０（倍）のとき、距離Ｒ１＝１（ｍ）とすると距離Ｒ２は１９（ｍ）に設定しなければならないが、通常の撮影室ではこのような設定は現実的ではない。
【００３２】
これに対し、距離Ｒ１の設定を小さくすると、照射野が小さくなり、被写体Ｗの一部しか撮影できないこととなってしまう。一般的には、被写体ＷとＸ線管２の間には余分な被爆を防ぐための照射野絞りや筐体を設置していることが多いため、距離Ｒ１を小さくするには限界がある。
【００３３】
よって、撮影室内等、距離Ｒ３の設定に制限がある場合には、距離Ｒ３を固定し、その固定した距離Ｒ３の中で距離Ｒ１、Ｒ２の比率を変えることが好ましい。例えば、Ｒ３＝３．５（ｍ）に決定した場合、この距離Ｒ３に対し、Ｒ１＝０．７（ｍ）、Ｒ２＝２．８（ｍ）とする。一般的な撮影室の広さを考慮すると、距離Ｒを３≦Ｒ３≦５の範囲とし、この範囲内で拡大率Ｍと拡大画像の視認性との関係を見ながら、経験的、実験的に最適な距離Ｒ３、Ｒ１、Ｒ２を決定すればよい。
【００３４】
また、式３からも分かるように、ボケＢの程度は焦点径Ｄに依るところが大きい。０．０５≦ｓ≦５０の微小な対象物を拡大画像上で観察する場合には、焦点径Ｄを大きくすればＸ線の照射量が増えて拡大画像の視認性が向上するが、その分ボケの程度も大きくなり、結果としてエッジ強調作用が得られない画像となってしまう。
【００３５】
よって、本発明に係るＸ線撮影システム１では、０．０５≦ｓ≦５０（μｍ）の微小な対象物を撮影する際には、Ｘ線管２の焦点径Ｄを１≦Ｄ≦３０（μｍ）とし、かつ拡大率Ｍを１０≦Ｍ≦４０（μｍ）とすることでその撮影画像を出力した際に良好な視認性を得ることができる。
【実施例１】
【００３６】
上記撮影システム１において下記の実験条件により位相コントラスト撮影を行い、得られた拡大画像についての視覚評価を行った。
〈実験条件〉
直径５（mm）のガラスウールを被写体として位相コントラスト撮影を行い、得られた拡大画像をフィルムに出力して視覚評価を行った。
Ｘ線管球は、コニカミノルタ社で試作したものを用い、焦点径Ｄ＝１０（μｍ）のものを使用した。撮影装置はコニカミノルタ社製の試作機を用いた。画像記録材を含むカセッテはコダック社製Min-R2000フィルムシステムを使用し、撮影済みフィルムの現像にはコニカミノルタ社製自動現像機SRX-101を用いた。
被写体は、直径５（mm）のガラスウールである。
【００３７】
また、比較用として画像検出器（蛍光体プレート又はＦＰＤ（Flat Panel Detector）を適用可）を用いてデジタル画像データを生成する撮影装置を用いて撮影を行った。画像検出器は同社製のレジウスプレートＲＰ−５ＰＭ及びレジウスカセッテＲＣ−１１０Ｍを用いた。
上記画像検出器により検出された拡大画像の読取は、コニカミノルタ社製regius  model 190により、読取画素ピッチ４３．７５（μｍ）で読み取った。  
この読取画像のフィルムへの出力は、同社製drypro model 793により、書込画素ピッチ２５（μｍ）で出力した。このとき、読取画像の各画素と出力画像の各画素を１：１に対応させて補間処理を行わずに出力した。
【００３８】
〈撮影条件〉
撮影時のＸ線管の管電圧は６５（ｋＶｐ）、管電流は１（ｍＡ）である。
また、Ｘ線管の焦点から画像検出器までの距離Ｒ３は、Ｒ３（Ｒ１＋Ｒ２）＝３．５（ｍ）で固定し、距離Ｒ１、Ｒ２をそれぞれ２≧Ｒ１≧０．０７、３．４３≧Ｒ２≧１．５の範囲で可変して拡大率Ｍが１≦Ｍ≦５０となる範囲で撮影を行った。  
【００３９】
〈評価基準〉
フィルム上に出力形成された拡大画像の評価基準は以下の通りである。
・：繊維一本のそれぞれを鮮明に認識することが可能。
△：繊維の存在が確認できる。
×：繊維の存在が確認できない。
上記の評価基準に従って、７人の画像評価者がフィルム上の画像を観察し、被写体となったガラスウール繊維の画像について評価を行った。
【００４０】
〈評価結果〉
評価結果は、下記の表１の通りである。
上述した実験条件において被写体であるガラスウール繊維の直径ｓを０．０５〜５０（μｍ）まで一定値毎に段階的に変化させて同じ撮影条件で撮影を行った場合も同様の評価結果が得られた。
【００４１】
【表１】
0004730054.tif 000004
なお、表１中のＮｏ．１は位相コントラスト撮影との比較を行うために、拡大率１の通常撮影を行ったものである。「デジタル判定」の項目は、画像検出器を用いてＸ線画像をデジタルデータとして得た場合の出力画像についての評価結果を示し、「フィルム判定」は本発明を適用した出力画像についての評価結果である。
また、表１中のボケＢ、エッジ強調幅ＥＢは、式２、３から算出している。
【００４２】
表１の評価結果において、Ｎｏ．４〜Ｎｏ．８から拡大率Ｍが１０〜４０のとき、直径ｓ＝０．０５〜５０（μｍ）と非常に微小なガラスウール繊維が鮮明となる非常に良好な画質が得られている。拡大率Ｍが１〜５と比較的小さいＮｏ．１〜３では、微小な撮影対象を確認することができない結果となっている。これは、拡大率Ｍが小さいためボケＢが小さくなってエッジ効果が得られるものの、微小な撮影対象物を視認するのに充分な拡大がなされていないことによるものと考えられる。一方、Ｎｏ．９の結果から、拡大率Ｍ＝５０とすると拡大による視認性が高くなるのに対してボケＢの比率が大きくなり、逆にガラスウール繊維が確認できない画質となることが分かる。
【００４３】
デジタルデータで得られたＸ線画像についても、Ｎｏ．４〜Ｎｏ．８の撮影条件により微小な撮影対象物も確認可能な画質が得られている。これに対し、フィルムにより得られたＸ線画像では、同じ撮影条件でもより良好な評価結果となっている。これは、デジタル化の過程で生成された画像信号のサンプリング時に、各画素（サンプリングピッチ）内でエッジ強調部分に対応する強弱の画像（信号）部分が平均化（相殺）され、位相コントラスト撮影本来のエッジ効果が十分に発揮されないことによるものと考えられる。
【００４４】
一方、フィルムの場合には、このようなデジタル化の過程が無く、Ｘ線量の変化量をそのままフィルムへの感光量に変換させることができる。よって、微弱な信号変化も画像に反映させることができ、エッジ効果も十分に得られることとなる。
【実施例２】
【００４５】
実施例２では、実施例１の実験条件において、Ｘ線管の焦点径Ｄ＝３０（μｍ）として撮影を行い、得られた拡大画像の画像評価を行った。
【００４６】
〈実験条件〉
焦点径Ｄ＝３０（μｍ）のＸ線管を使用していることを除き、実験条件は実施例１と同一である。
【００４７】
〈撮影条件〉及び〈評価条件〉
撮影条件及び評価条件は、実施例１と同一である。
【００４８】
〈評価結果〉
評価結果は、下記の表２の通りである。
実施例２においても被写体であるガラスウール繊維の直径ｓを０．０５〜５０（μｍ）まで一定値毎に段階的に変化させて同じ撮影条件で撮影を行ったところ、同様の評価結果が得られた。
【００４９】
【表２】
0004730054.tif 000005
なお、表２中のＮｏ．１は位相コントラスト撮影との比較を行うために、拡大率１の通常撮影を行ったものである。
また、表２中のボケＢ、エッジ強調幅ＥＢは、式２、３から算出している。
【００５０】
表２の評価結果において、Ｎｏ．４〜Ｎｏ．４０から拡大率Ｍが１０〜４０のとき、直径ｓ＝０．０５〜５０（μｍ）と非常に微小な撮影対象物も鮮明に視認可能な画質が得られることが分かる。拡大率Ｍが１〜５と比較的小さいＮｏ．１〜３では、微小な撮影対象を確認することができない結果となっている。これは、拡大率Ｍが小さいためボケＢが小さくなってエッジ効果が得られるものの、微小な撮影対象物を視認するのに充分な拡大がなされていないことによるものと考えられる。一方、Ｎｏ．９の結果から、拡大率Ｍ＝５０とすると拡大による視認性が高くなるのに対してボケの比率が大きくなり、逆にガラスウール繊維が確認できない画質となることが分かる。
【００５１】
表１の評価結果と併せて考慮すると、焦点径Ｄを１０から３０へと大きくしても画質には影響がなく、微小な撮影対象が鮮明となるまで拡大することができるとともに、鮮鋭性が高い出力画像が得られることが分かる。
【００５２】
また、デジタルデータで得られたＸ線画像についても、Ｎｏ．４〜Ｎｏ．８の撮影条件により微小な撮影対象物も確認可能な画質が得られており、これに対してフィルムにより得られたＸ線画像では、同じ撮影条件でもより良好な評価結果となっているのは実施例１と同様であり、その理由も同じであると考えられる。
【００５３】
一般に、Ｒ１が大きくなると、画像検出器に到達する単位時間あたりのＸ線量が減少するため、出力画像において充分な濃度が得られなくなり、視認性が低下する。
逆に、Ｒ１が小さすぎると、画像検出器の全面にＸ線を照射できないため、出力画像において濃度ムラが生じ、均一性が低くなる。また、撮影できる被写体の範囲が小さくなるため、撮影目的によっては不適切な場合がある。
【００５４】
また、Ｒ２が大きいほど散乱線が除去され、ノイズの少ない良好な画質となり、拡大率Ｍが大きいほど鮮鋭性、粒状性が良好となる。
拡大率Ｍ及びＲ２は、位相コントラスト効果（エッジ効果）に寄与する因子となり、拡大率Ｍ及びＲ２がともに大きくなるほど位相コントラスト効果が大きくなり、被写体の細部が鮮明となる、良好な画像が得られる。
【００５５】
実際に、適用する焦点径Ｄ、拡大率Ｍ、拡大率Ｍに応じた距離Ｒ１、Ｒ２、Ｒ３等を決定する際には、ボケＢの程度や、上述したような出力画像の画質とその画質を左右する因子との関係から、実験的又は経験的に最良の画質が得られるものを選択すればよい。
なお、Ｘ線源は点線源に近いほどボケＢが小さくなるので、焦点径Ｄは限りなく小さいものが良い。
【００５６】
以上のように、本実施形態によれば、Ｘ線管の焦点径Ｄ（μｍ）を１≦Ｄ≦３０とし、位相コントラスト撮影における拡大率Ｍを、１０≦Ｍ≦４０とすることにより、直径ｓが０．０５≦ｓ≦５０と非常に微小な撮影対象を視認可能な高画質の拡大画像を得ることができる。
【００５７】
また、撮影室内の広さを考慮して、Ｘ線管の焦点から前記画像検出器までの距離Ｒ３（ｍ）を、３≦Ｒ３≦５の範囲内で固定し、その固定された距離Ｒ３の中で距離Ｒ１、Ｒ２を可変して拡大率Ｍを調整している。よって、限られた室内の中で拡大率Ｍを１０≦Ｍ≦４０と比較的大きい拡大率Ｍに調整することが可能となる。
【００５８】
また、フィルム・スクリーン方式による撮影を行うことにより、微弱な信号変化をとらえることが可能となり、微小な対象物を撮影する際には、Ｘ線画像をデジタルデータとして生成する場合に比較して、より視認性の高い高画質な出力画像を得ることができる。
【図面の簡単な説明】
【００５９】
【図１】本実施形態における撮影システムの構成を示す図である。
【図２】位相コントラスト撮影を説明する図である。
【図３】位相コントラスト効果（エッジ効果）について説明する図である。
【図４】エッジ効果におけるエッジ強度とボケの関係を示す図である。
【図５】位相コントラスト効果においてボケが生じる場合について説明する図である。
【符号の説明】
【００６０】
１    撮影システム
２    Ｘ線管
ａ    焦点
３    撮影装置
３１    フィルム
【図１】
0004730054.tif 000006
【図２】
0004730054.tif 000007
【図３】
0004730054.tif 000008
【図４】
0004730054.tif 000009
【図５】
0004730054.tif 000010